(57)【要約】【課題】  スライドカバーの円滑なスライド動作を確保する。【解決手段】  スライドカバー３を案内する案内部３３ｂ、３３ｂと、スライドカバーの移動方向に直交する方向に離隔しスライドカバーの移動時に回転される一対のサイドローラー２８、２８と、該一対のサイドローラーの離隔方向に直交する方向、かつ、スライドカバーの移動方向に直交する方向に延び、一対のサイドローラーの回転支点となる一対のローラー軸２６ｂ、２６ｂと、一対のサイドローラーがそれぞれ転動される一対の転動受け面１９ｆ、１９ｆと、上記サイドローラーの離隔方向と同じ方向に離隔して位置されると共にスライドカバーの移動時に同期して回転される一対のギヤ３２、３２と、該一対のギヤにそれぞれ噛合されスライドカバーの移動方向に延びる一対のラック部１９ｅ、１９ｅとを設けた。【選択図】図４
2006337665.tif 000002
【特許請求の範囲】
【請求項１】
スライドカバーを所定の方向へ移動させて開閉するカバー開閉機構であって、
スライドカバーを案内する案内部と、
スライドカバーの移動方向に直交する方向に離隔しスライドカバーの移動時に回転される一対のサイドローラーと、
該一対のサイドローラーの離隔方向に直交する方向、かつ、スライドカバーの移動方向に直交する方向に延び、一対のサイドローラーの回転支点となる一対のローラー軸と、
一対のサイドローラーがそれぞれ転動される一対の転動受け面と、
上記サイドローラーの離隔方向と同じ方向に離隔して位置されると共にスライドカバーの移動時に同期して回転される一対のギヤと、
該一対のギヤにそれぞれ噛合されスライドカバーの移動方向に延びる一対のラック部とを備えた
ことを特徴とするカバー開閉機構。
【請求項２】
スライドカバーの移動方向における中央の位置を基準として、スライドカバーが移動方向における第１の方向へ移動されるときに該第１の方向へスライドカバーを付勢すると共にスライドカバーが移動方向における第２の方向へ移動されるときに該第２の方向へスライドカバーを付勢するトグルバネを設けた
ことを特徴とする請求項１に記載のカバー開閉機構。
【請求項３】
上記スライドカバーの移動を規制して該スライドカバーを上記第１の方向及び第２の方向における移動端にそれぞれ保持する規制部を設けた
ことを特徴とする請求項２に記載のカバー開閉機構。
【請求項４】
上記トグルバネをスライドカバーの移動方向に直交する方向におけるスライドカバーの略中央の位置に配置した
ことを特徴とする請求項２に記載のカバー開閉機構。
【請求項５】
機器本体に対してスライドカバーを閉塞位置と開放位置との間で移動させるカバー開閉機構を備えた電子機器であって、
スライドカバーを案内する案内部と、
スライドカバーの移動方向に直交する方向に離隔しスライドカバーの移動時に回転される一対のサイドローラーと、
一対のサイドローラーの離隔方向に直交する方向、かつ、スライドカバーの移動方向に直交する方向に延び、一対のサイドローラーの回転支点となる一対のローラー軸と、
一対のサイドローラーがそれぞれ転動される一対の転動受け面と、
上記サイドローラーの離隔方向と同じ方向に離隔して位置されると共にスライドカバーの移動時に同期して回転される一対のギヤと、
該一対のギヤにそれぞれ噛合されスライドカバーの移動方向に延びる一対のラック部とを備えた
ことを特徴とするカバー開閉機構を備えた電子機器。
【発明の詳細な説明】
【技術分野】
【０００１】
本発明はカバー開閉機構及びこれを備えた電子機器についての技術分野に関する。詳しくは、スライドカバーの移動時に回転されるサイドローラー及びギヤを設けてスライドカバーの円滑なスライド動作を確保する技術分野に関する。
【背景技術】
【０００２】
各種の電子機器において、機器本体の所定の部分を開閉するためにスライド移動されるスライドカバーを有するものがある。このようなスライドカバーは、例えば、カメラ装置の前面にスライド自在に支持され、閉塞位置から開放位置まで移動されることにより撮影機能の実行が可能とされ、非撮影時には開放位置から閉塞位置まで移動されてレンズの保護等を行うようにされている。
【０００３】
スライドカバーを機器本体に対して開放位置と閉塞位置との間で移動させるカバー開閉機構としては、連結軸の両端部に一対のギヤ（ピニオン）を固定し、スライドカバーの背面に形成された一対のラックにそれぞれギヤを噛合し、スライドカバーの移動時にギヤを同期して回転させるようにしたものがある（例えば、特許文献１参照）。
【０００４】
このようにスライドカバーの移動時にギヤを同期して回転させることにより、機器本体との間の摩擦力が小さく、また、ギヤとラックが噛合された状態でスライドカバーが移動されるため、スライドカバーが本体部に対して傾いた状態となり難く、スライドカバーの機器本体に対する円滑な移動が可能となる。
【０００５】
【特許文献１】特開平８−６１１４号公報
【発明の開示】
【発明が解決しようとする課題】
【０００６】
ところが、上記した従来のカバー開閉機構にあっては、使用者のスライドカバーに対する手動による操作位置、即ち、使用者がスライドカバーを移動させようとしたときの指のスライドカバーに対する位置によっては、スライドカバーに対して、その移動方向に略直交する方向や移動方向に対して斜めの方向への側圧が付与される場合がある。
【０００７】
このような場合には、連結軸が延びる方向への力が付与されることになり、ギヤのラックからの脱落のおそれが生じたり、ギヤのラックに対する噛合状態が不安定となり、スライドカバーの円滑な移動が阻害されるおそれがある。
【０００８】
そこで、本発明カバー開閉機構及びこれを備えた電子機器は、上記した問題点を克服し、スライドカバーの円滑なスライド動作を確保することを課題とする。
【課題を解決するための手段】
【０００９】
本発明カバー開閉機構及びこれを備えた電子機器は、上記した課題を解決するために、スライドカバーを案内する案内部と、スライドカバーの移動方向に直交する方向に離隔しスライドカバーの移動時に回転される一対のサイドローラーと、該一対のサイドローラーの離隔方向に直交する方向、かつ、スライドカバーの移動方向に直交する方向に延び、一対のサイドローラーの回転支点となる一対のローラー軸と、一対のサイドローラーがそれぞれ転動される一対の転動受け面と、上記サイドローラーの離隔方向と同じ方向に離隔して位置されると共にスライドカバーの移動時に同期して回転される一対のギヤと、該一対のギヤにそれぞれ噛合されスライドカバーの移動方向に延びる一対のラック部とを設けたものである。
【００１０】
従って、本発明カバー開閉機構及びこれを備えた電子機器にあっては、スライドカバーの移動時にサイドローラーが転動受け面上を転動されると共にギヤがラックに対して噛合された状態で回転される。
【発明の効果】
【００１１】
本発明カバー開閉機構は、スライドカバーを所定の方向へ移動させて開閉するカバー開閉機構であって、スライドカバーを案内する案内部と、スライドカバーの移動方向に直交する方向に離隔しスライドカバーの移動時に回転される一対のサイドローラーと、該一対のサイドローラーの離隔方向に直交する方向、かつ、スライドカバーの移動方向に直交する方向に延び、一対のサイドローラーの回転支点となる一対のローラー軸と、一対のサイドローラーがそれぞれ転動される一対の転動受け面と、上記サイドローラーの離隔方向と同じ方向に離隔して位置されると共にスライドカバーの移動時に同期して回転される一対のギヤと、該一対のギヤにそれぞれ噛合されスライドカバーの移動方向に延びる一対のラック部とを備えたことを特徴とする。
【００１２】
従って、スライドカバーに対して、その移動方向に対して斜めの方向や略直交する方向へ側圧が付与されても、この側圧をサイドローラーが転動受け面に接することにより受けるため、スライドカバーの移動を円滑に行うことができる。
【００１３】
請求項２に記載した発明にあっては、スライドカバーの移動方向における中央の位置を基準として、スライドカバーが移動方向における第１の方向へ移動されるときに該第１の方向へスライドカバーを付勢すると共にスライドカバーが移動方向における第２の方向へ移動されるときに該第２の方向へスライドカバーを付勢するトグルバネを設けたので、スライドカバーを手動で第１の方向へ移動させるときに移動方向における中央の位置を越えたところで自動的にスライドカバーが第１の方向における移動端まで移動され、スライドカバーを手動で第２の方向へ移動させるときに移動方向における中央の位置を越えたところで自動的にスライドカバーが第２の方向における移動端まで移動されるため、スライドカバーの移動を確実に行うことができると共に使い勝手の向上を図ることができる。
【００１４】
請求項３に記載した発明にあっては、上記スライドカバーの移動を規制して該スライドカバーを上記第１の方向及び第２の方向における移動端にそれぞれ保持する規制部を設けたので、第１の方向及び第２の方向における移動端で、スライドカバーをガタつくことなく保持することができる。
【００１５】
請求項４に記載した発明にあっては、上記トグルバネをスライドカバーの移動方向に直交する方向におけるスライドカバーの略中央の位置に配置したので、スライドカバーに移動方向に対して傾斜する方向への付加がトグルバネから付与され難く、スライドカバーの円滑な移動動作を確保することができる。
【００１６】
本発明カバー開閉機構を備えた電子機器は、機器本体に対してスライドカバーを閉塞位置と開放位置との間で移動させるカバー開閉機構を備えた電子機器であって、スライドカバーを案内する案内部と、スライドカバーの移動方向に直交する方向に離隔しスライドカバーの移動時に回転される一対のサイドローラーと、一対のサイドローラーの離隔方向に直交する方向、かつ、スライドカバーの移動方向に直交する方向に延び、一対のサイドローラーの回転支点となる一対のローラー軸と、一対のサイドローラーがそれぞれ転動される一対の転動受け面と、上記サイドローラーの離隔方向と同じ方向に離隔して位置されると共にスライドカバーの移動時に同期して回転される一対のギヤと、該一対のギヤにそれぞれ噛合されスライドカバーの移動方向に延びる一対のラック部とを備えたことを特徴とする。
【００１７】
従って、スライドカバーに対して、その移動方向に対して斜めの方向や略直交する方向へ側圧が付与されても、この側圧をサイドローラーが転動受け面に接することにより受けるため、スライドカバーの移動を円滑に行うことができる。
【発明を実施するための最良の形態】
【００１８】
以下に、本発明カバー開閉機構及びこれを備えた電子機器を実施するための最良の形態を添付図面に従って説明する。以下に示した最良の形態は、本発明電子機器をデジタルスチルカメラに適用し、本発明カバー開閉機構を、このデジタルスチルカメラに備えられたカバー開閉機構に適用したものである。
【００１９】
尚、本発明電子機器及びカバー開閉機構の適用範囲は、デジタルスチルカメラ及びこれに備えられたカバー開閉機構に限られることはなく、本発明電子機器は、デジタルスチルカメラ以外の各種の電子機器に広く適用することができ、本発明カバー開閉機構は、これらの各種の電子機器に備えられるカバー開閉機構に広く適用することができる。
【００２０】
電子機器（デジタルスチルカメラ）１は機器本体２と該機器本体２に上下方向（図１及び図２に示すＵ―Ｄ方向）にスライド自在に支持されたスライドカバー３とを備えている（図１及び図２参照）。
【００２１】
機器本体２は横長の扁平な略矩形状に形成され、ケース体４の内外に所要の各部が配置されて成る。ケース体４は、図１乃至図３に示すように、フロントケース５、リアケース６、アッパーパネル７及びボトムパネル８が前後及び上下で結合されて成る。
【００２２】
フロントケース５の上端部には開口５ａが形成され、該開口５ａの内側に撮影レンズ９が配置されている（図２参照）。開口５ａの近傍には、発光部１０とビーム出射部１１が設けられている。発光部１０からは、例えば、フラッシュ撮影時の照明光が出射され、ビーム出射部１１からは、例えば、セルフタイマー撮影時の検出光が出射される。
【００２３】
ケース体４の上面にはシャッター１２、電源釦１３及びマイクロフォン１４が設けられ（図１及び図２参照）、背面には各種の操作を行うための操作釦１５、１５、・・・、スピーカー１６及び表示部１７が設けられている（図３参照）。
【００２４】
スライドカバー３はケース体４の前面において上下方向へスライド自在に支持されている（図１及び図２参照）。
【００２５】
スライドカバー３は外カバー１８と該外カバー１８の内面に取り付けられたカバーパネル１９とから成る（図４参照）。
【００２６】
外カバー１８は横長の略矩形状に形成され、背面側に浅い凹部１８ａを有している。外カバー１８の内面（背面）には上下に延びる操作突部２０が設けられている（図４及び図５参照）。操作突部２０は、その上端部が他の部分より後方への突出量が大きくされた押圧操作部２０ａとして設けられている。
【００２７】
カバーパネル１９は横長の略矩形状に形成され、背面側に浅い配置凹部１９ａを有している（図４参照）。カバーパネル１９の左右両端寄りの位置には、図７及び図８に示すように、それぞれ上下に延びる部材配置孔１９ｂ、１９ｂが形成されている。カバーパネル１９には部材配置孔１９ｂ、１９ｂの内側の開口縁、即ち、カバーパネル１９の左右方向における中央寄りの開口縁に上下に延びる被案内突条２１、２１が設けられている。被案内突条２１、２１はカバーパネル１９の他の部分より厚みが薄く形成され、他の部分より後方に凹むように形成されている。
【００２８】
カバーパネル１９の左右方向における中央部にはバネ配置孔１９ｃが形成され、該バネ配置孔１９ｃの上側開口縁にバネ掛け部２２が設けられている。
【００２９】
カバーパネル１９には、左側の部材配置孔１９ｂとバネ配置孔１９ｃとの間に、上下に延びる突部配置孔１９ｄが形成されている。
【００３０】
カバーパネル１９の内面（背面）には、それぞれその左右両端寄りの位置に、上下に延びるラック部１９ｅ、１９ｅが形成されている（図７参照）。カバーパネル１９の内面には、ラック部１９ｅ、１９ｅのそれぞれ外側の位置に、内側を向く転動受け面１９ｆ、１９ｆが形成されている。カバーパネル１９の内面には、転動受け面１９ｆ、１９ｆの前端部からそれぞれラック部１９ｅ、１９ｅ側へ突出された押さえ片部１９ｇ、１９ｇが設けられている。
【００３１】
カバーパネル１９の部材配置孔１９ｂ、１９ｂを形成する上側の面は被規制面１９ｈ、１９ｈとして形成され、部材配置孔１９ｂ、１９ｂを形成する下側の面は被規制面１９ｉ、１９ｉとして形成されている（図８参照）。
【００３２】
カバーパネル１９は外カバー１８の凹部１８ａに配置されて、例えば、図示しない両面テープによって外カバー１８の内面に取り付けられる。カバーパネル１９が外カバー１８の内面に取り付けられた状態において、外カバー１８の操作突部２０がカバーパネル１９の突部配置孔１９ｄからカバーパネル１９の後方側へ突出される。
【００３３】
フロントケース５の前面には操作部材２３が操作部挿入孔５ｃを覆う位置に接着やネジ止め等により取り付けられる（図４及び図６参照）。操作部材２３は前後方向を向くベース面部２４と該ベース面部２４から前方へ切り起こされた操作バネ部２５とが一体に形成されて成る。操作バネ部２５は、ベース面部２４に連続され下方へ行くに従って前方へ変位する傾斜部２５ａと、該傾斜部２５ａに連続され前後方向を向く被押圧面部２５ｂと、該被押圧面部２５ｂの下縁から後方へ延びる連結部２５ｃと、該連結部２５ｃの後縁から下方へ延びる操作面部２５ｄとから成る。操作バネ部２５はベース面部２４に対して前後方向へ弾性変位可能とされ、操作バネ部２５がベース面部２４に対して後方側へ弾性変位されたときには、操作面部２５ｄがフロントケース５の操作部挿入孔５ｃからケース体４の内部に突出される。
【００３４】
フロントケース５の前面には、取付孔５ｂを覆う位置にベース部材２６が接着やネジ止め等により取り付けられる（図４、図６及び図８参照）。ベース部材２６は、図６に示すように、横長の形状に形成され、右端寄りの位置に下方へ開口された切欠２６ａを有している。ベース部材２６の左右両端部にはそれぞれ前方へ突出されたローラー軸２６ｂ、２６ｂが設けられている。ベース部材２６の上端部には、左右に離隔してそれぞれ軸受部２７、２７が設けられ、該軸受部２７、２７には上方へ開口されたギヤ配置用切欠２７ａ、２７ａが形成されている。ベース部材２６の左右方向における中央より稍左側の位置には縦長のバネ用孔２６ｃが形成されている。フロントケース５の前面にベース部材２６が取り付けられた状態においては、バネ用孔２６ｃに操作部材２３の操作バネ部２５が配置される。
【００３５】
ベース部材２６のローラー軸２６ｂ、２６ｂには、それぞれサイドローラー２８、２８が回転自在に支持される（図４及び図６参照）。
【００３６】
ベース部材２６の左右方向における略中央部には支持部材２９がネジ止め等により取り付けられる（図４及び図６参照）。支持部材２９はベース部材２６に取り付けられる被取付部２９ａと該被取付部２９ａから上方へ突出して設けられた軸受部２９ｂと被取付部２９ａから左方へ突出された突部２９ｃとから成り、該突部２９ｃの先端部には後方へ突出されたバネ支持軸３０が設けられている。
【００３７】
ベース部材２６に支持部材２９が取り付けられた状態において、連結軸３１が支持される（図６及び図８参照）。連結軸３１は軸方向が左右方向とされ、連結軸３１の軸方向における両端部にそれぞれギヤ３２、３２が固定されている。連結軸３１は支持部材２９の軸受部２９ｂ及びベース部材２６の軸受部２７、２７に回転自在に支持され、ギヤ３２、３２はそれぞれ軸受部２７、２７のギヤ配置用切欠２７ａ、２７ａに配置される。
【００３８】
ベース部材２６の左右両端部にはそれぞれ案内部材３３、３３が取り付けられる。案内部材３３は被取付面部３３ａと該被取付面部３３ａの側方に設けられた案内部３３ｂとから成り、該案内部３３ｂが被取付面部３３ａに対して稍前方に位置されるように被取付面部３３ａと案内部３３ｂとの連続部分が屈曲されている。
【００３９】
案内部材３３、３３は、図９及び図１０に示すように、それぞれ案内部３３ｂ、３３ｂがカバーパネル１９の部材配置孔１９ｂ、１９ｂに後側から挿入されて案内部３３ｂ、３３ｂが被案内突条２１、２１の前側に位置され、被取付面部３３ａ、３３ａがベース部材２６に取り付けられる。従って、外カバー１８の内面に取り付けられたカバーパネル１９は、案内部材３３、３３を介してベース部材２６に上下方向へ移動自在に支持され、外カバー１８にカバーパネル１９が取り付けられて構成されたスライドカバー３は、上下方向へ移動されるときに案内部材３３、３３の案内部３３ａ、３３ａに案内される。
【００４０】
カバーパネル１９がベース部材２６に支持された状態において、サイドローラー２８、２８の外周面がそれぞれカバーパネル１９の転動受け面１９ｆ、１９ｆに接する（図１０参照）。このときサイドローラー２８、２８を支持するローラー軸２６ｂ、２６ｂは、カバーパネル１９の押さえ片部１９ｇ、１９ｇによって前方側から押さえられ、サイドローラー２８、２８のローラー軸２６ｂ、２６ｂからの脱落が防止される。
【００４１】
連結軸３１は、カバーパネル１９がベース部材２６に支持された状態において、カバーパネル１９の内面（背面）の一部によって回転可能な状態で押さえられる。
【００４２】
また、カバーパネル１９がベース部材２６に支持された状態においては、ギヤ３２、３２がそれぞれカバーパネル１９の内面に形成されたラック部１９ｅ、１９ｅに噛合される。
【００４３】
スライドカバー３が上方へ移動されカバーパネル１９の被規制面１９ｉ、１９ｉがそれぞれ案内部材３３、３３の下端に当接されるとスライドカバー３の上方への移動が規制され、スライドカバー３が下方へ移動されカバーパネル１９の被規制面１９ｈ、１９ｈがそれぞれ案内部材３３、３３の上端に当接されるとスライドカバー３の下方への移動が規制される。従って、案内部材３３、３３はスライドカバー３の移動を案内する案内手段として機能する他、スライドカバー３を上下の移動端において保持する規制手段としても機能する。
【００４４】
トグルバネ３４はコイル部３４ａと該コイル部３４ａから突出されたアーム部３４ｂ、３４ｂとから成る（図８参照）。トグルバネ３４は、図１１に示すように、コイル部３４ａがカバーパネル１９のバネ配置孔１９ｃに配置され、一方のアーム部３４ｂがカバーパネル１９のバネ掛け部２２に支持され、他方のアーム部３４ｂが支持部材２９に設けられたバネ支持軸３０に支持される。従って、スライドカバー３は上下方向における移動範囲の中央の位置を基準として、この基準位置より上方へ移動されるときにはトグルバネ３４によって上方へ付勢され、基準位置より下方へ移動されるときにはトグルバネ３４によって下方へ付勢される。
【００４５】
トグルバネ３４がカバーパネル１９とベース部材２６に支持された状態において、トグルバネ３４はスライドカバー３の左右方向、即ち、移動方向に直交する方向における略中央部に位置される。
【００４６】
上記のようにスライドカバー３は移動範囲における中央の位置（基準位置）を基準として、トグルバネ３４によって上方又は下方へ付勢されるため、スライドカバー３を手動で上方から下方へ移動させるときに中央の位置を越えたところで自動的に下方へ移動され、下方から上方へ移動させるときに中央の位置を越えたところで自動的に上方へ移動され、スライドカバー３の移動を確実に行うことができると共に使い勝手の向上を図ることができる。
【００４７】
また、スライドカバー３が上下に移動されカバーパネル１９の被規制面１９ｉ、１９ｉ又は被規制面１９ｈ、１９ｈがそれぞれ案内部材３３、３３に当接されて移動が規制されたときには、スライドカバー３がトグルバネ３４によって付勢され被規制面１９ｉ、１９ｉ又は被規制面１９ｈ、１９ｈがそれぞれ案内部材３３、３３に押し付けられた状態とされるため、上方及び下方の移動端においてスライドカバー３を機器本体２に対してガタつくことなく保持することができる。
【００４８】
さらに、トグルバネ３４はスライドカバー３の移動方向に直交する方向における略中央部に位置されているため、スライドカバー３に移動方向に対して傾斜する方向への付加がトグルバネ３４から付与され難く、スライドカバー３の円滑な移動動作を確保することができる。
【００４９】
ケース体４の内部には検出スイッチ３５が配置されている（図１２参照）。検出スイッチ３５は撮影のための電源を投入するためのスイッチであり、フロントケース５の操作部挿入孔５ｃに対応した位置に配置されている。
【００５０】
以上のように構成された電子機器１において、スライドカバー３が上方側の移動端、即ち、撮影レンズ９、発光部１０及びビーム出射部１１を閉塞する閉塞位置からこれらの各部を開放する開放位置へ向けて移動されると、ギヤ３２、３２がそれぞれラック部１９ｅ、１９ｅに噛合した状態で回転されると共にサイドローラー２８、２８がそれぞれ転動受け面１９ｆ、１９ｆと摺接しながら回転される。
【００５１】
このとき使用者のスライドカバー３に対する操作位置、即ち、使用者が手動でスライドカバー３を移動させようとしたときの指のスライドカバー３に対する位置によっては、スライドカバー３に対して、その移動方向（図１３に示すＭ）に対して斜めの方向や略直交する方向へ側圧（図１３に示すＰ、Ｐ、・・・）が付与されるが、この側圧をサイドローラー２８、２８が転動受け面１９ｆ、１９ｆに接することにより受けているため、スライドカバー３の移動を円滑に行うことができる。
【００５２】
また、スライドカバー３の移動に伴ってギヤ３２、３２がそれぞれラック部１９ｅ、１９ｅに噛合した状態で同期して回転されるため、移動時においてスライドカバー３の機器本体２に対するガタツキが発生せず、スライドカバー３の移動動作の円滑化を図ることができる。
【００５３】
スライドカバー３が上方側に位置されているときには、操作部材２３の被押圧面部２５ｂはスライドカバー３の操作突部２０によって押圧されていない（図１２参照）。従って、検出スイッチ３５は操作されていない。
【００５４】
スライドカバー３が下方へ移動されると、操作部材２３の被押圧面部２５ｂが操作突部２０の押圧操作部２０ａによって押圧されて弾性変位され（図１３参照）、検出スイッチ３５が操作部材２３の操作面部２５ｄによって押圧されて操作される。従って、撮影のための電源が供給され、撮影可能な状態とされる。
【００５５】
スライドカバー３が下方側の移動端である開放位置から閉塞位置へ向けて移動されると、閉塞位置から開放位置へ向けての移動時と同様に、ギヤ３２、３２がそれぞれラック部１９ｅ、１９ｅに噛合した状態で回転されると共にサイドローラー２８、２８がそれぞれ転動受け面１９ｆ、１９ｆと摺接しながら回転される。
【００５６】
スライドカバー３が上方へ向けて移動されると、操作突部２０の押圧操作部２０ａによる操作部材２３の被押圧面部２５ｂに対する押圧状態が解除され、スライドカバー２３は操作バネ部２５が弾性復帰して元の状態に戻る（図１２参照）。従って、検出スイッチ３５に対する操作部材２３による操作状態が解除され、撮影のための電源の供給が停止される。
【００５７】
上記のように、スライドカバー３の移動に伴って必要に応じて撮影のための電源の供給及びその停止が行われ、省電力化及び使い勝手の向上を図ることができる。
【００５８】
尚、上記には、サイドローラー２８、２８をベース部材２６、２６に配置し、サイドローラー２８、２８が転動される転動受け面１９ｆ、１９ｆをカバーパネル１９に形成した例を示したが、逆に、サイドローラー２８、２８をカバーパネル１９に配置し、サイドローラー２８、２８が転動される転動受け面をベース部材に形成する構成とすることも可能である。
【００５９】
また、ギヤ３２、３２をベース部材２６、２６に配置し、ギヤ３２、３２と噛合されるラック部１９ｅ、１９ｅをカバーパネル１９に形成した例を示したが、逆に、ギヤ３２、３２をカバーパネル１９に配置し、ギヤ３２、３２が噛合されるラック部をベース部材に形成する構成とすることも可能である。
【００６０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６１】
【図１】図２乃至図１４と共に本発明の最良の形態を示すものであり、本図は、スライドカバーが閉塞位置にある状態で示す電子機器の斜視図である。
【図２】スライドカバーが開放位置にある状態で示す電子機器の斜視図である。
【図３】図１及び図２とは異なる方向から見た状態で示す電子機器の斜視図である。
【図４】カバー開閉機構を示す分解斜視図である。
【図５】フロントケースの拡大縦断面図である。
【図６】カバー開閉機構の一部を示す分解斜視図である。
【図７】カバーパネルの拡大斜視図である。
【図８】一部がフロントケースに取り付けられた状態で示すカバー開閉機構の分解斜視図である。
【図９】フロントケースに対する案内部材とトグルバネの位置関係を示す拡大正面図である。
【図１０】サイドローラーと他の部分との位置関係等を示す拡大断面図である。
【図１１】外カバーを取り外して示すカバー開閉機構の斜視図である。
【図１２】スライドカバーが閉塞位置にあるときの検出スイッチに対する操作状態を示す縦断面図である。
【図１３】スライドカバーに側圧が付与されたときの効果を説明するための電子機器の正面図である。
【図１４】スライドカバーが開放位置にあるときの検出スイッチに対する操作状態を示す縦断面図である。
【符号の説明】
【００６２】
１…電子機器、２…機器本体、３…スライドカバー、１９ｅ…ラック部、１９ｆ…転動受け面、２６ｂ…ローラー軸、２８…サイドローラー、３２…ギヤ、３３…案内部材（規制部）、３３ｂ…案内部、３４…トグルバネ
【図１】
2006337665.tif 000003
【図２】
2006337665.tif 000004
【図３】
2006337665.tif 000005
【図４】
2006337665.tif 000006
【図５】
2006337665.tif 000007
【図６】
2006337665.tif 000008
【図７】
2006337665.tif 000009
【図８】
2006337665.tif 000010
【図９】
2006337665.tif 000011
【図１０】
2006337665.tif 000012
【図１１】
2006337665.tif 000013
【図１２】
2006337665.tif 000014
【図１３】
2006337665.tif 000015
【図１４】
2006337665.tif 000016